(57)【特許請求の範囲】
【請求項１】
フィールドネットワークに接続される複数のフィールド機器と、
前記フィールドネットワークに選択的に接続され、前記フィールド機器をコントロールする携帯可能なフィールドターミナルと、
前記フィールドネットワークに接続され、前記フィールド機器をコントロールする上位システムと、
前記上位システムに接続され、前記各フィールドターミナルの固有識別情報一覧を予め格納する上位データベースとを備え、
前記上位システムは、前記フィールドターミナルから入力される設定権限要求情報と前記固有識別情報一覧に基づき前記フィールドターミナルを認証するとともに、この認証と前記フィールド機器から入力されるアラーム情報に基づき設定権限譲渡情報を生成し、
前記フィールド機器と前記フィールドターミナルは、前記設定権限譲渡情報に基づきパラメータ設定の通信を行う
ことを特徴とする制御システム。
【請求項２】
前記フィールド機器は、前記各フィールドターミナルの固有識別情報一覧を予め格納するフィールドデータベースを備え、
前記フィールドターミナルは、前記設定権限譲渡情報に基づきパラメータ設定情報を生成し、
前記フィールド機器は、前記パラメータ設定情報と前記フィールドデータベースの固有識別情報一覧から前記フィールドターミナルを認証する
ことを特徴とする請求項１記載の制御システム。
【請求項３】
前記上位システムは、前記アラーム情報と前記設定権限要求情報と前記前記設定権限譲渡情報の履歴管理を行う
ことを特徴とする請求項２記載の制御システム。
【請求項４】
フィールドネットワークに接続される複数のフィールド機器と、前記フィールドネットワークに選択的に接続され、前記フィールド機器をコントロールする携帯可能なフィールドターミナルと、前記フィールドネットワークに接続され、前記フィールド機器をコントロールする上位システムとを備えた制御システムのパラメータ設定方法であって、
前記各フィールドターミナルの固有識別情報一覧を予め上位データベースに格納するステップ、
前記上位システムが、前記フィールドターミナルから入力される設定権限要求情報と前記固有識別情報一覧に基づき前記フィールドターミナルを認証するとともに、この認証と前記フィールド機器から入力されるアラーム情報に基づき設定権限譲渡情報を生成するステップ、
前記フィールド機器と前記フィールドターミナルが、前記設定権限譲渡情報に基づきパラメータ設定の通信を行うステップ、
を含むことを特徴とする制御システムのパラメータ設定方法。
【請求項５】
フィールドネットワークに接続される複数のフィールド機器と、前記フィールドネットワークに選択的に接続され、前記フィールド機器をコントロールする携帯可能なフィールドターミナルと、前記フィールドネットワークに接続され、前記フィールド機器をコントロールする上位システムとを備えた制御システムのパラメータ設定方法であって、
前記各フィールドターミナルの固有識別情報一覧を予め上位データベースに格納し、前記各フィールドターミナルの固有識別情報一覧を予め前記フィールド機器内のフィールドデータベースに格納するステップ、
前記上位システムが、前記フィールドターミナルから入力される設定権限要求情報と前記固有識別情報一覧に基づき前記フィールドターミナルを認証するとともに、この認証と前記フィールド機器から入力されるアラーム情報に基づき設定権限譲渡情報を生成するステップ、
前記フィールドターミナルが前記設定権限譲渡情報に基づきパラメータ設定情報を生成するステップ、
前記フィールド機器が前記パラメータ設定情報と前記フィールドデータベースの固有識別情報一覧とから前記フィールドターミナルを認証するステップ、
を含むことを特徴とする制御システムのパラメータ設定方法。
【発明の詳細な説明】
【技術分野】
【０００１】
本発明は、伝送器や流量計等のフィールド機器とハンドヘルドターミナル等のフィールドターミナルとを備えた制御システム及び制御システムのパラメータ設定方法に関し、特に、信頼性の高い制御システム及び制御システムのパラメータ設定方法に関する。
【背景技術】
【０００２】
従来の制御システムには、フィールドターミナルを備えるものもある（例えば、特許文献１参照）。
【０００３】
図４は、従来の制御システムの一例を示す構成図である。
【０００４】
フィールド機器１１は、所定の現場(フィールド)に設置され、フィールドネットワーク１２に接続される。そして現場では、フィールド機器１１に対し、設置や保守の目的で、パラメータ確認、監視、校正、調整を実施することがしばしばある。
【０００５】
フィールドターミナル（ハンドヘルドターミナル）１３は携帯可能に構成されていて、フィールドネットワーク１２に必要に応じて選択的に接続される。また、フィールドターミナル１３は、フィールド機器１１から測定値、警報等の情報を得る情報収集機能とともにパラメータ設定機能を有し、フィールド機器１１のパラメータ設定、調整を行う。このようにして、フィールドターミナル１３は、フィールド機器１１をコントロールする。
【０００６】
上位システム１４は、所定の場所に設置され、フィールドネットワーク１２に接続される。また、上位システム１４は、フィールド機器１１から測定値、警報等の情報を得るとともに、フィールド機器１１のパラメータ設定、調整を行う。このようにして、上位システム１４は、フィールド機器１１をコントロールする。
【０００７】
そして、上位システム１４とフィールドターミナル１３との間の通信は、ＨＡＲＴ通信やフィールドバス通信等で行われる。
【０００８】
このような図４の従来例の動作を説明する。
まず、フィールド機器１１は、各種のアラーム情報を生成し、フィールドネットワーク１２を介して上位システム１４に送信する（ステップＳ１）。
【０００９】
作業員は、フィールド機器１１から入力されるアラーム情報に基づき、フィールドターミナル１３を携帯して現場に出向く。そして、作業員は、現場でフィールドターミナル１３をフィールドネットワーク１２に接続する。
【００１０】
次に、作業員は、現場でフィールドターミナル１３を使用して、フィールド機器１１のパラメータ確認、監視、校正、調整等を実施する。即ち、作業員は、フィールド機器１１からのアラーム情報に基づき、フィールドターミナル１３を使用してフィールド機器１１をコントロールする（ステップ５）。
【００１１】
作業員は、フィールド機器１１に対するコントロール作業を終えると、フィールドターミナル１３をフィールドネットワーク１２から切り離す。
【００１２】
【特許文献１】特開２００２−００８１７６号公報
【発明の開示】
【発明が解決しようとする課題】
【００１３】
しかしながら、このような図４の従来例では、作業員等の人為的ミスを防止する対策が施されていない。人為的ミスにより、フィールド機器１１が誤った設定になる場合があるという課題がある。特に、フィールドターミナル１３によって、フィールド機器１１が誤った設定に調整される場合があるという課題がある。
【００１４】
さらに、第３者が不正にフィールド機器１１の設定を変更する場合があるという課題もある。
【００１５】
本発明の目的は、これらの課題を解決するものであり、人為的ミスを抑制可能な高信頼の制御システム及び制御システムのパラメータ設定方法を提供することにある。
【課題を解決するための手段】
【００１６】
このような目的を達成する本発明は、次の通りである。
（１）  フィールドネットワークに接続される複数のフィールド機器と、前記フィールドネットワークに選択的に接続され、前記フィールド機器をコントロールする携帯可能なフィールドターミナルと、前記フィールドネットワークに接続され、前記フィールド機器をコントロールする上位システムと、前記上位システムに接続され、前記各フィールドターミナルの固有識別情報一覧を予め格納する上位データベースとを備え、前記上位システムは、前記フィールドターミナルから入力される設定権限要求情報と前記固有識別情報一覧に基づき前記フィールドターミナルを認証するとともに、この認証と前記フィールド機器から入力されるアラーム情報に基づき設定権限譲渡情報を生成し、前記フィールド機器と前記フィールドターミナルは、前記設定権限譲渡情報に基づきパラメータ設定の通信を行うことを特徴とする制御システム。
（２）前記フィールド機器は、前記各フィールドターミナルの固有識別情報一覧を予め格納するフィールドデータベースを備え、前記フィールドターミナルは、前記設定権限譲渡情報に基づきパラメータ設定情報を生成し、前記フィールド機器は、前記パラメータ設定情報と前記フィールドデータベースの固有識別情報一覧から前記フィールドターミナルを認証することを特徴とする（１）記載の制御システム。
（３）前記上位システムは、前記アラーム情報と前記設定権限要求情報と前記前記設定権限譲渡情報の履歴管理を行うことを特徴とする（２）記載の制御システム。
（４）フィールドネットワークに接続される複数のフィールド機器と、前記フィールドネットワークに選択的に接続され、前記フィールド機器をコントロールする携帯可能なフィールドターミナルと、前記フィールドネットワークに接続され、前記フィールド機器をコントロールする上位システムとを備えた制御システムのパラメータ設定方法であって、前記各フィールドターミナルの固有識別情報一覧を予め上位データベースに格納するステップ、前記上位システムが、前記フィールドターミナルから入力される設定権限要求情報と前記固有識別情報一覧に基づき前記フィールドターミナルを認証するとともに、この認証と前記フィールド機器から入力されるアラーム情報に基づき設定権限譲渡情報を生成するステップ、前記フィールド機器と前記フィールドターミナルが、前記設定権限譲渡情報に基づきパラメータ設定の通信を行うステップ、を含むことを特徴とする制御システムのパラメータ設定方法。
（５）フィールドネットワークに接続される複数のフィールド機器と、前記フィールドネットワークに選択的に接続され、前記フィールド機器をコントロールする携帯可能なフィールドターミナルと、前記フィールドネットワークに接続され、前記フィールド機器をコントロールする上位システムとを備えた制御システムのパラメータ設定方法であって、前記各フィールドターミナルの固有識別情報一覧を予め上位データベースに格納し、前記各フィールドターミナルの固有識別情報一覧を予め前記フィールド機器内のフィールドデータベースに格納するステップ、前記上位システムが、前記フィールドターミナルから入力される設定権限要求情報と前記固有識別情報一覧に基づき前記フィールドターミナルを認証するとともに、この認証と前記フィールド機器から入力されるアラーム情報に基づき設定権限譲渡情報を生成するステップ、前記フィールドターミナルが前記設定権限譲渡情報に基づきパラメータ設定情報を生成するステップ、前記フィールド機器が前記パラメータ設定情報と前記フィールドデータベースの固有識別情報一覧とから前記フィールドターミナルを認証するステップ、を含むことを特徴とする制御システムのパラメータ設定方法。
【発明の効果】
【００１７】
本発明によれば次のような効果がある。
人為的ミスを抑制可能な高信頼の制御システム及び制御システムのパラメータ設定方法を提供できる。また、不正なアクセスから保護できる。
【発明を実施するための最良の形態】
【００１８】
以下に図１に基づいて本発明を詳細に説明する。図１は、本発明の一実施例を示す構成図である。図４の従来例と同一の要素には同一符号を付し、説明を省略する。
【００１９】
図１の実施例の特徴は、上位データベース１５の構成にある。
【００２０】
上位データベース１５は、例えばＥＥＰＲＯＭやＦｌａｓｈＲＯＭ等の不揮発性記憶素子で形成され、上位システム１４と接続される。そして、上位データベース１５は、各フィールドターミナル１３の固有識別情報一覧（リスト）を予め格納（登録）する。
【００２１】
上位データベース１５は、例えば、権限委譲フラグと機器ＩＤ情報とタグ情報とアドレス情報とから形成されるリストを予め備える。ここで、機器ＩＤは、それぞれのフィールド機器１１及びそれぞれのフィールドターミナル１３が固有に有する識別情報である。タグ及びアドレスは、フィールドネットワーク１２における識別情報であり、機器ＩＤとタグとアドレスとはそれぞれ一意となる。なお、初期状態において、権限委譲のフラグは全て空白とする。
【００２２】
具体的には、上位データベース１５において、例えば、機器ＩＤの情報「５９４５４３０００３ＸＸＸＸＸＸＸ」と、タグの情報「ＴＴＴ１００２」と、アドレスの情報「０ｘＦ４」とが対応する。
さらに、上位データベース１５は、例えば、機器ＩＤの情報「５９４５４３０００３ＸＸＸＸＸＸＸ」に係る情報と機器ＩＤの情報「５９４５４３０００５ＸＸＸＸＸＸＸ」に係る情報と機器ＩＤの情報「５９４５４３０００４ＸＸＸＸＸＸＸ」に係る情報との３種類の情報が格納されている。
【００２３】
フィールドターミナル（ハンドヘルドターミナル）１３は、設定権限機能とパラメータ設定機能とを備える。
【００２４】
フィールドターミナル１３は、設定権限機能が有効のとき、フィールド機器１１との間でパラメータ設定の通信を行う。また、フィールド機器１１のパラメータ設定や調整を行うためのパラメータ設定情報を生成する。
【００２５】
なお、設定権限機能が無効のときは、フィールド機器１１との間でのパラメータ設定の通信を行なわず、パラメータ設定情報を生成しない。
【００２６】
このような図１の実施例の動作を説明する。
【００２７】
はじめに、各フィールドターミナル１３の固有識別情報一覧を予め上位データベース１５に格納するステップを実行する。
【００２８】
次に、フィールド機器１１がアラーム情報を生成するステップＳ１を実行する。このアラーム情報は、フィールドネットワーク１２を介して上位システム１４に伝達される。
また、このアラーム情報は、フィールド機器１１に関する機器ＩＤ情報、タグ情報、アドレス情報等を備える。そして、フィールドターミナル１３及び上位システム１４は、アラーム情報により、いずれのフィールド機器１１がアラーム情報を生成したのかを識別する。
【００２９】
作業員は、フィールド機器１１から入力されるアラーム情報に基づき、フィールドターミナル１３を携帯して現場に出向く。そして、作業員は、現場でフィールドターミナル１３をフィールドネットワーク１２に接続する。
【００３０】
次に、フィールドターミナル１３は、設定権限要求情報を生成するステップＳ２を実行する。この設定権限要求情報は、フィールドネットワーク１２を介して上位システム１４に伝達される。なお、この設定権限要求情報は、フィールドターミナル１３に関する機器ＩＤ情報、タグ情報、アドレス情報等を備える。
【００３１】
次に、上位システム１４による認証ステップＳ３を実行する。上位システム１４は、フィールドターミナル１３からの設定権限要求情報と上位データベース１５のリストとを比較し、設定権限要求情報を生成したフィールドターミナル１３を特定する。詳しくは、機器ＩＤ情報、タグ情報、アドレス情報が一致するものを調べる。一致するものがない場合には、不正な設定権限要求情報が生じたものとして処理する。このようにして、上位システム１４はフィールドターミナル１３を認証する。
【００３２】
上位システム１４は、フィールドターミナル１３を正しく認証すると、これに対応する権限委譲のフラグ「１」を設定する。具体的には、例えば、機器ＩＤの情報「５９４５４３０００５ＸＸＸＸＸＸＸ」、タグの情報「ＳＥＴＴＩＮＧ」、アドレスの情報「０ｘＦＣ」に対応するフィールドターミナル１３を認証し、これに対応する権限委譲のフラグ「１」を設定する。
【００３３】
ここで、権限委譲フラグ「１」が重複して発生しないようにする。詳しくは、既に権限委譲フラグが「１」となっているときは、新たな権限委譲フラグ「１」は生成しないように処理する。
【００３４】
また、この認証とフィールド機器１１からのアラーム情報に基づき、設定権限譲渡情報を生成するステップＳ４を実行する。そして、この設定権限譲渡情報は、フィールドネットワーク１２を介してフィールドターミナル１３に伝達される。即ち、上位システム１４は、特定のフィールドターミナル１３に対して、パラメータ設定許可の権限を委譲する（チェックアウト）。
【００３５】
さらに、フィールド機器１１とフィールドターミナル１３とが、設定権限譲渡情報に基づきパラメータ設定の通信を行うステップＳ５を実行する。詳しくは、フィールドターミナル１３は、この設定権限譲渡情報に基づきパラメータ設定情報を生成する。そして、このパラメータ設定情報は、フィールドネットワーク１２を介してアラーム情報を生成したフィールド機器１１に伝達される。
【００３６】
こうして、フィールドターミナル１３は、フィールド機器１１に対してパラメータ確認、監視、校正、調整を実施する。
【００３７】
フィールドターミナル１３は、フィールド機器１１に対するコントロール作業が終了すると、上位システムに１４に権限を開放する旨の連絡をするステップＳ６を実行する。こうして、フィールドターミナル１３は、設定権限譲渡情報による権限を開放する（チェックイン）。
【００３８】
また、上位システム１４は、対応する上位データベース１５のフラグを空白にする。具体的には、例えば、機器ＩＤの情報「５９４５４３０００５ＸＸＸＸＸＸＸ」、タグの情報「ＳＥＴＴＩＮＧ」、アドレスの情報「０ｘＦＣ」に対応する権限委譲のフラグ「  」を設定する。
【００３９】
そして、作業員は、フィールドターミナル１３をフィールドネットワーク１２から切り離す。
【００４０】
図１の実施例によれば、フィールド機器１１に対する不正なコントロールが抑制され、フィールド機器１１は特定のフィールドターミナル１３からのみコントロールされることになる。
【００４１】
このように、図１の実施例は信頼性の高い制御システムを提供できる。詳しくは、フィールドターミナル１３は、事前に上位データベース１５に登録されていないと、フィールド機器１１をコントロールできない。また、フィールドターミナル１３は、設定権限要求情報を生成する機能がない場合には、フィールド機器１１をコントロールできない。
【００４２】
なお、フィールドターミナル１３は、フィールド機器１１をコントロールできない状態であっても、フィールド機器１１からの測定値、警報等の情報を閲覧することだけはできる。
【００４３】
また、フィールド機器１１をコントロールできるものは、設定権限譲渡情報を受けたフィールドターミナル１３のみであることから、複数のフィールドターミナルから重複してフィールドターミナル１３へアクセスされることがなくなる。
【００４４】
さらに、上位システム１４は、アラーム情報と設定権限要求情報と前記設定権限譲渡情報、あるいはチェックアウト、チェックイン等の情報についての履歴管理をすることにより、問題が発生した場合に迅速に状況を分析できるようになるため、一層、信頼性の高い制御システムを構築できる。
【００４５】
図１の実施例の動作について図２を用いて説明する。図２は、図１の実施例のパラメータ設定方法を示すフロー図であり、縦軸（上部から下部）は時間の経過を示す。
【００４６】
ステップＳ０１は、上位システム１４において、各フィールドターミナル１３の固有識別情報一覧を予め上位データベース１５に格納するステップである。
【００４７】
ステップＳ１１は、上位システム１４がフィールドネットワーク１２に接続されているフィールドターミナル１３を検索するステップである。
【００４８】
ステップＳ１２は、フィールドターミナル１３がフィールドネットワーク１２に参加（接続）するステップである。
【００４９】
ステップＳ１３は、フィールドターミナル１３が上位システム１４の検索に対して応答するステップである。
【００５０】
ステップＳ１４は、フィールドターミナル１３がフィールド機器１１のパラメータを読み込む（Ｒｅａｄ）ステップである。
【００５１】
ステップＳ１６は、フィールド機器１１がフィールドターミナル１３からの読み込みに応答するステップである。
【００５２】
このとき、フィールド機器１１とフィールドターミナル１３とは、パラメータ設定（Ｗｒｉｔｅ）の通信はできない。
【００５３】
ステップＳ２１は、フィールドターミナル１３が設定権限要求情報を上位システムに伝達するステップである。
【００５４】
ステップＳ２２は、上位システム１４による認証のステップである。
【００５５】
ステップＳ２３は、上位システム１４が設定権限譲渡情報をフィールドターミナル１３に伝達するステップである。つまり、上位システム１４は、特定のフィールドターミナル１３に対して、パラメータ設定許可の権限を委譲する（チェックアウト）。
【００５６】
ステップＳ２４は、フィールドターミナル１３がパラメータ設定情報をフィールド機器１１に伝達するステップである。つまり、フィールドターミナル１３がパラメータ設定（Ｗｒｉｔｅ）を行うステップである。
【００５７】
ステップＳ２６は、フィールド機器１１がフィールドターミナル１３からのパラメータ設定情報に応答するステップである。
【００５８】
ステップＳ２７は、フィールドターミナル１３が上位システム１４に権限を開放する旨の連絡をするステップである。つまり、フィールドターミナル１３は、設定権限譲渡情報による権限を開放する（チェックイン）。
【００５９】
このようにして、図１の実施例はパラメータ設定を行う。
【００６０】
図３は、本発明の他の実施例を示す構成図であり、図１の実施例と同一の要素には同一符号を付し、説明を省略する。
【００６１】
図３の実施例の特徴は、上位データベース１５の構成と、フィールドデータベース１６の構成とにある。
【００６２】
フィールドデータベース１６は、フィールド機器１１の内部に形成され、例えば、ＥＥＰＲＯＭやＦｌａｓｈＲＯＭ等の不揮発性記憶素子で形成される。また、フィールドデータベース１６は、各フィールドターミナル１３の固有識別情報一覧（リスト）を予め格納する。
【００６３】
フィールドデータベース１６は、例えば、設定可否判断のフラグと機器ＩＤの情報とタグの情報とアドレスの情報とから形成されるリストを予め備える。ここで、機器ＩＤは、各フィールド機器１１及び各フィールドターミナル１３に固有の識別情報である。また、タグ及びアドレスはフィールドネットワーク１２における識別情報であり、機器ＩＤとタグとアドレスとはそれぞれ一意となる。
【００６４】
上位データベース１５には、例えば、機器ＩＤの情報「５９４５４３０００３ＸＸＸＸＸＸＸ」に係る情報と機器ＩＤの情報「５９４５４３０００５ＸＸＸＸＸＸＸ」に係る情報と機器ＩＤの情報「５９４５４３０００４ＸＸＸＸＸＸＸ」に係る情報との３種類の情報が格納されている。
【００６５】
また、フィールドターミナル１３は、上位システム１４からの設定権限譲渡情報に基づきパラメータ設定情報を生成する。
さらに、フィールド機器１１は、このパラメータ設定情報とフィールドデータベース１６の固有識別情報一覧に基づきフィールドターミナル１３を認証する。
【００６６】
このような図３の実施例の動作を説明する。
【００６７】
はじめに、各フィールドターミナル１３の固有識別情報一覧を予めフィールドデータベース１６に格納するステップを実行する。
【００６８】
フィールドターミナル１３のうち設定権限を得る可能性があるものについては、これに対応する設定可否判断のフラグ「１」を設定する。具体的には、例えば、機器ＩＤ情報「５９４５４３０００５ＸＸＸＸＸＸＸ」、タグ情報「ＳＥＴＴＩＮＧ」、アドレス情報「０ｘＦＣ」に対応するフィールドターミナルについて、これに対応する設定可否判断フラグ「１」を設定し、機器ＩＤ情報「５９４５４３０００４ＸＸＸＸＸＸＸ」、タグ情報「ＦＴ１００３」、アドレス情報「０ｘＦＦ」に対応するフィールドターミナルについて、これに対応する設定可否判断フラグ「１」を設定する。
【００６９】
次に、図３の実施例において、図１の実施例と同様に、ステップＳ１，Ｓ２，Ｓ３，Ｓ４，Ｓ５を実行する。
【００７０】
次に、フィールド機器１１は、フィールドターミナル１３からのパラメータ設定情報とフィールドデータベース１６の固有識別情報一覧に基づきフィールドターミナル１３を認証するステップＳ７を実行する。ここで、パラメータ設定情報は、フィールドターミナル１３に関する機器ＩＤ情報、タグ情報、アドレス情報等を備える。
【００７１】
フィールド機器１１は、フィールドターミナル１３からのパラメータ設定情報とフィールドデータベース１６の固有識別情報一覧とを比較し、パラメータ設定情報を生成したフィールドターミナル１３を特定する。詳しくは、機器ＩＤ情報、タグ情報、アドレス情報が一致するものを調べる。そして、一致するものがない場合には、不正なパラメータ設定情報が生じたものとして処理する。
【００７２】
さらに、フィールド機器１１は、設定可否判断フラグ「１」を確認する。そして、設定可否判断フラグが「１」でない場合は、不正なパラメータ設定情報が生じたものとして処理する。
【００７３】
このようにして、フィールド機器１１はフィールドターミナル１３を認証する。フィールド機器１１はフィールドターミナル１３を正しく認証すると、パラメータ設定情報に基づいて、内部のパラメータ設定、調整を行う。
【００７４】
そして最後に、図１の実施例と同様に、ステップＳ６を実行する。
【００７５】
このように図３の実施例も図１の実施例と同様に、信頼性の高い制御システムを構築できる。
【００７６】
図３の実施例の動作について図２を用いて説明する。
【００７７】
ステップＳ０２は、フィールド機器１１において、各フィールドターミナル１３の固有識別情報一覧を予めフィールドデータベース１６に格納するステップである。
【００７８】
次に、図１の実施例と同様に、ステップＳ２１，Ｓ２２，Ｓ２３，Ｓ２４を実行する。
【００７９】
ステップＳ２５は、フィールド機器１１による認証のステップである。
【００８０】
次に、図１の実施例と同様に、ステップＳ２６，２７を実行する。
このようにして、図３の実施例はパラメータ設定を行う。
【００８１】
なお、図３の実施例において、上位データベース１５と上位システム１４とがそれぞれフィールドネットワーク１２を介して接続されるように形成しても実質的に同等の構成となり、同等の作用効果が得られる。
【００８２】
また、図３の実施例では、上位データベース１５と上位システム１４とが別々に形成されているが、上位データベース１５と上位システム１４とを一体のハードウエアで形成しても同等の構成となり、同等の作用効果が得られる。
【００８３】
さらに、図３の実施例では、フィールドネットワーク１２を介したオンライン通信状態で、上位データベース１５及び上位システム１４とフィールドターミナル１３とが権限委譲するものであるが、上位データベース１５及び上位システム１４とフィールドターミナル１３とがフィールドネットワーク１２を介することなく直接接続された状態で権限委譲するものであっても実質的に同等の構成となり、同等の作用効果が得られる。
【００８４】
本発明は、上述の実施例に限定されることなく、その本質を逸脱しない範囲でさらに多くの変更及び変形を含むものである。
【図面の簡単な説明】
【００８５】
【図１】本発明の一実施例を示す構成図である。
【図２】図１の実施例のパラメータ設定方法を示すフロー図である。
【図３】本発明の他の実施例を示す構成図である。
【図４】従来の制御システムを示す構成図である。
【符号の説明】
【００８６】
１１  フィールド機器
１２  フィールドネットワーク
１３  フィールドターミナル
１４  上位システム
１５  上位データベース
１６  フィールドデータベース
【図１】
0004797533.tif 000002
【図２】
0004797533.tif 000003
【図３】
0004797533.tif 000004
【図４】
0004797533.tif 000005